(57)【要約】      （修正有）【課題】企業などの産業衛生活動を効率化できる情報処理装置を提供する。【解決手段】産業衛生活動を支援するための情報処理装置１３であって、産業衛生活動実施状況の閲覧対象が指定された指定情報を取得する通信部３１と、指定情報で指定される作業環境管理データ、作業管理データ及び健康管理データを記憶装置から読み出す記憶・読出部３９と、記憶・読出部３９が読み出した作業環境管理データ、作業管理データ及び健康管理データに、それぞれのデータ種別に応じたデータ処理を施すデータ解析部３２と、データ処理が施された作業環境管理データ、作業管理データ及び健康管理データが一覧表示される画面データを作成する画面作成部３３と、を有する。【選択図】図６
2016167141.tif 000002
【特許請求の範囲】
【請求項１】
産業衛生活動を支援するための情報処理装置であって、
産業衛生活動実施状況の閲覧対象が指定された指定情報を取得する指定情報取得手段と、
前記指定情報で指定される作業環境管理データ、作業管理データ及び健康管理データを記憶装置から読み出すデータ読み出し手段と、
前記データ読み出し手段が読み出した作業環境管理データ、作業管理データ及び健康管理データに、それぞれのデータ種別に応じたデータ処理を施すデータ処理手段と、
前記データ処理が施された作業環境管理データ、作業管理データ及び健康管理データが一覧表示される画面データを作成する画面データ作成手段と、を有する情報処理装置。
【請求項２】
前記データ読み出し手段は、前記指定情報で指定される教育管理データ、及び、総括管理データをさらに読み出し、
前記画面データ作成手段は、作業環境管理データ、作業管理データ、健康管理データ、教育管理データ、及び、総括管理データが一覧表示される前記画面データを作成する請求項１に記載の情報処理装置。
【請求項３】
前記画面データ作成手段は、ユーザの操作に応じて、作業環境管理データ、作業管理データ、健康管理データ、教育管理データ、及び、総括管理データの表示の有無が切り替えられる前記画面データを作成する請求項２に記載の情報処理装置。
【請求項４】
前記データ処理手段は前記データ処理を施すことで数値を算出するものであり、
前記画面データ作成手段は、作業環境管理データ、作業管理データ、健康管理データ、教育管理データ、及び、総括管理データのそれぞれについて、前記数値の大きさをバーメータにより表す前記画面データを作成する請求項１〜３いずれか１項に記載の情報処理装置。
【請求項５】
前記画面データ作成手段は、前記バーメータの上限値又は下限値の変更を受け付けることが可能な前記画面データを作成する請求項４に記載の情報処理装置。
【請求項６】
前記画面データ作成手段は前記バーメータに前記数値を表示するか、又は、前記バーメータを表示することなく前記数値のみを表示する請求項４又は５に記載の情報処理装置。
【請求項７】
前記画面データ作成手段は、作業環境管理データ、作業管理データ、健康管理データ、教育管理データ及び括管理データのそれぞれについて前記記憶装置から前記数値が下回るべきでない目標下限値及び前記数値が上回るべきでない目標上限値を読み出し、
前記バーメータに前記目標下限値及び前記目標上限値を表示する前記画面データであって、
前記数値が前記目標下限値を下回った作業環境管理データ、作業管理データ、健康管理データ、教育管理データ及び括管理データ、並びに、前記数値が前記目標上限値を上回った作業環境管理データ、作業管理データ、健康管理データ、教育管理データ及び括管理データを明示する前記画面データを作成する請求項４〜６いずれか１項に記載の情報処理装置。
【請求項８】
前記画面データ作成手段は、作業環境管理データ、作業管理データ、健康管理データ、教育管理データ及び括管理データそれぞれの、前記目標下限値と前記目標上限値の中央値が前記バーメータの一定の位置に表示される前記画面データを作成する請求項７に記載の情報処理装置。
【請求項９】
前記画面データ作成手段は、前記記憶装置から前記数値と比較される比較データを読み出し、
前記数値及び前記比較データの大きさをバーメータにより表す前記画面データを作成する請求項４〜６いずれか１項に記載の情報処理装置。
【請求項１０】
前記画面データ作成手段は、前記比較データに対する前記数値の乖離量が、作業環境管理データ、作業管理データ、健康管理データ、教育管理データ及び総括管理データのそれぞれで定められている正の閾値又は負の閾値を超える場合、前記閾値を超えた作業環境管理データ、作業管理データ、健康管理データ、教育管理データ及び総括管理データを明示する前記画面データを作成する請求項９に記載の情報処理装置。
【請求項１１】
前記指定情報取得手段は２つの前記指定情報を取得し、
前記データ読み出し手段は、前記記憶装置から２つの前記指定情報で指定される作業環境管理データ、作業管理データ及び健康管理データをそれぞれ読み出し、
前記データ処理手段は、前記データ読み出し手段が読み出した２つの作業環境管理データ、作業管理データ及び健康管理データに、それぞれデータ種別に応じた前記データ処理を施すことで２つの前記数値を算出し、
前記画面データ作成手段は、前記データ処理手段により算出された２つの前記数値の大きさをバーメータにより表す前記画面データを作成する請求項４〜６いずれか１項に記載の情報処理装置。
【請求項１２】
２つの前記数値のうち、２つの前記指定情報の一方で指定される作業環境管理データ、作業管理データ及び健康管理データの前記数値が、他方の前記指定情報で指定される作業環境管理データ、作業管理データ及び健康管理データの前記数値よりも悪い場合、
前記画面データ作成手段は、前記数値が悪い作業環境管理データ、作業管理データ及び健康管理データを明示する前記画面データを作成する請求項１１に記載の情報処理装置。
【請求項１３】
産業衛生活動を支援するための情報処理装置を、
産業衛生活動実施状況の閲覧対象が指定された指定情報を取得する指定情報取得手段、
前記指定情報で指定される作業環境管理データ、作業管理データ及び健康管理データを記憶装置から読み出すデータ読み出し手段、
前記データ読み出し手段が読み出した作業環境管理データ、作業管理データ及び健康管理データに、それぞれのデータ種別に応じたデータ処理を施すデータ処理手段、及び、
前記データ処理が施された作業環境管理データ、作業管理データ及び健康管理データが一覧表示される画面データを作成する画面データ作成手段、として機能させるためのプログラム。
【請求項１４】
産業衛生活動を支援するための情報処理装置によって行われるデータ処理方法であって、
指定情報取得手段が、産業衛生活動実施状況の閲覧対象が指定された指定情報を取得するステップと、
データ読み出し手段が、前記指定情報で指定される作業環境管理データ、作業管理データ及び健康管理データを記憶装置から読み出すステップと、
データ処理手段が、前記データ読み出し手段が読み出した作業環境管理データ、作業管理データ及び健康管理データに、それぞれのデータ種別に応じたデータ処理を施すステップと、
画面データ作成手段が、前記データ処理が施された作業環境管理データ、作業管理データ及び健康管理データが一覧表示される画面データを作成するステップと、
を有するデータ処理方法。
【発明の詳細な説明】
【技術分野】
【０００１】
本発明は、情報処理装置、プログラム及びデータ処理方法に関する。
【背景技術】
【０００２】
近年の産業労働では、労働者が資本階級に労働力を提供することで資本階級が製品やサービスを販売し、資本階級は労働力と売上げ対価の差額を利益として手に入れる。このような産業労働は企業を中心に組織されるため、企業の関心が効率的な生産に集中し、労働者の健康を維持したり、労働者を災害から守ったりすることがなおざりにされるおそれがある。このため、労働者の人間生理に見合った環境や作業量を適切に設定し、環境や作業量が適切に維持されているかどうかを所定の部署や人が監視したり修正したりする産業衛生活動が必要となる。
【０００３】
そこで、従来から、従業員の健康を管理することが行われ、健康管理に情報処理を活用する試みも行われている（例えば、特許文献１参照。）。特許文献１には、グループに属する個人が健診を受診して発生した健診情報を管理する健診情報管理手段と、個人に対し実施された保健指導の実績を管理する実施情報管理手段と、健診情報から得られる健康状態と保健指導の実施実績と疾病発症の関係を示す発症予測情報と検診情報を比較してグループ別に予測発症者数を計算し、予測発症者数に基づき保健指導するグループを選択する保健事業支援システムが開示されている。
【発明の概要】
【発明が解決しようとする課題】
【０００４】
しかしながら、特許文献１に開示されている保健事業支援システムでは適切な産業衛生活動が困難であるという問題がある。まず、産業衛生活動ではある程度の規模のグループに対する総括的な全体計画を所定の部署や人が立案して、グループの従業員の健康の監視・指導を行うことが望ましいとされている。これに対し、特許文献１では産業衛生活動に関する総括的な全体計画を遂行することは考慮されていない。
【０００５】
また、一定規模の企業が産業衛生活動を行うことは法律的にも要請されており、このような法律の１つである労働安全衛生法では、以下の５つの項目について従業員の労働安全を監視すべきことを定めている。
・作業環境管理…従業員の作業環境の管理
・作業管理…従業員の日常の業務方法及び勤務時間等の管理
・健康管理…従業員の健康状態の管理
・労働衛生教育管理…事業者と従業員に対する労働衛生の教育の管理
・総括管理…産業衛生全体の目標及び計画の管理
したがって、企業が適切な産業衛生活動を行う上では、これらの項目に関し、従業員が置かれている環境や作業量をできるだけ客観的に監視することがまず求められる。そして、監視結果に応じて総括的な全体計画に沿った指導が所定の部署や人によって行われるべきである。
【０００６】
しかしながら、従来の技術では、企業がこれらの項目を収集する際の費用対効果が必ずしも良好でなく、これらの項目を効率的に収集して、適切な産業衛生活動を行うことが困難であった。
【０００７】
本発明は、上記課題に鑑み、企業などの産業衛生活動を効率化できる情報処理装置を提供することを目的とする。
【課題を解決するための手段】
【０００８】
本発明は、産業衛生活動を支援するための情報処理装置であって、産業衛生活動実施状況の閲覧対象が指定された指定情報を取得する指定情報取得手段と、前記指定情報で指定される作業環境管理データ、作業管理データ及び健康管理データを記憶装置から読み出すデータ読み出し手段と、前記データ読み出し手段が読み出した作業環境管理データ、作業管理データ及び健康管理データに、それぞれのデータ種別に応じたデータ処理を施すデータ処理手段と、前記データ処理が施された作業環境管理データ、作業管理データ及び健康管理データが一覧表示される画面データを作成する画面データ作成手段と、を有する。
【発明の効果】
【０００９】
企業などの産業衛生活動を効率化できる情報処理装置を提供することができる。
【図面の簡単な説明】
【００１０】
【図１】産業衛生活動管理支援システムが提供する産業衛生活動実施状況の表示例を示す図である。
【図２】クライアントサーバ型の産業衛生活動管理支援システムのシステム構成図の一例である。
【図３】スタンドアロン型の産業衛生活動管理支援システムのシステム構成図の一例である。
【図４】サーバのハードウェア構成図の一例である。
【図５】ユーザＰＣのハードウェア構成図の一例である。
【図６】産業衛生活動管理支援システムのユーザＰＣ及びサーバの機能ブロック図の一例である。
【図７】入力者が入力用ＰＣを操作して総括管理テーブル（計画策定データ）を入力する手順を示すシーケンス図の一例である。
【図８】入力用ＰＣの表示装置に表示されるデータ入力ための初期画面の一例である。
【図９】入力用ＰＣの表示装置に表示される総括管理データ入力画面の一例である。
【図１０】活動管理者が産業衛生活動の実施状況を閲覧する手順を示すシーケンス図の一例である。
【図１１】活動管理者が閲覧対象を指定するための閲覧対象指定画面の一例を示す図である。
【図１２】ユーザＰＣの表示装置に表示された閲覧画面の一例を示す図である。
【図１３】作業環境管理欄がない閲覧画面の一例を示す図である。
【図１４】作業管理欄の平均温度の上限値と下限値の変更について説明する図の一例である。
【図１５】閲覧画面の別の一例を示す図である。
【図１６】ユーザＰＣの表示装置に表示された本実施例の閲覧画面の一例を示す図である（実施例２）。
【図１７】活動管理者が閲覧対象を指定するための閲覧対象指定画面の一例を示す図である（実施例３）。
【図１８】ユーザＰＣの表示装置に表示された本実施例の閲覧画面の一例を示す図である（実施例３）。
【図１９】作業管理欄の各因子の因子名とバーメータを示す図の一例である（実施例３）。
【図２０】閲覧対象指定画面の別の一例を示す図である（実施例３）。
【図２１】ユーザＰＣの表示装置に表示された本実施例の閲覧画面の一例を示す図である（実施例４）。
【図２２】ユーザＰＣの表示装置に表示された本実施例の閲覧画面の一例を示す図である（実施例５）。
【発明を実施するための形態】
【００１１】
以下、本発明を実施するための形態について図面を参照しながら説明する。
【実施例１】
【００１２】
＜産業衛生活動実施状況の一覧表示＞
図１は、本実施形態の産業衛生活動管理支援システムが提供する産業衛生活動実施状況の表示例を示す図である。ユーザＰＣ１１（Personal Computer）はユーザから所定の操作を受け付けると図示する産業衛生活動実施状況の一覧を表示する。
【００１３】
産業衛生活動実施状況の一覧には、作業環境管理欄１、作業管理欄２、健康管理欄３、教育管理欄４、及び、総括管理欄５の５つの項目が表示されている。各項目はある企業、企業内の事業所、支社、部、課、職種など、主に企業の組織に応じてグループ分けされた従業員について、任意の期間の産業衛生活動の実施状況を示している。
【００１４】
作業環境管理とは、従業員が作業を行う環境中の有害因子を把握し、健康障害リスクの排除または適切な制御などを管理することである。作業管理とは、従業員の作業負荷、環境汚染からの保護、及び、作業方法の設定などを管理することである。健康管理とは、従業員個人の健康状態の直接的な管理をいい、具体的には、健康診断・面談指導等による労働者の健康状態の把握、職業的疾病の未然防止、疾病の進行の防止、及び、生活習慣病の予防などを管理することをいう。教育管理とは、従業員の健康指導・教育が適切に行われているかどうかを管理することをいう。総括管理とは、上記４つの管理を適切に実施するために、産業衛生管理の基礎を確立するためのもので、労働衛生管理体制の構築、規定の整備、目標・計画の策定、さらに結果の振り返りおよび改善などを管理することをいう。
【００１５】
この作業環境管理、作業管理、健康管理、教育管理及び総括管理を「５管理」といい、そのうち特に重要とされる作業環境管理、作業管理及び健康管理を「３管理」という。本実施例では３管理又は５管理の産業衛生活動実施状況を一覧表示できる。
【００１６】
例えば一例として作業環境管理欄１では、「平均温度」「平均湿度」「平均Ｃｏ２濃度」の３つの因子の値がバーメータ５１の中の針５３（実物の針ではなくバーメータ５１に対し異なる色などで表示される）と数値５２（平均温度の場合は２８℃）で表示されている。この各因子の値を「現状値」という。すなわち、このグループの従業員はある期間の間「平均温度」「平均湿度」「平均Ｃｏ２濃度」のそれぞれのバーメータ５１が針５３と数値５２により示す温度・湿度・ＣＯ２濃度で作業したことが分かる。
【００１７】
作業管理欄２、健康管理欄３、教育管理欄４、及び、総括管理欄５についても同様であり、本実施形態ではこのように産業衛生活動で管理すべき項目を一覧表示できることが特徴の１つとなっている。したがって、産業衛生活動の総括的な全体計画を立案し監視・指導を行う所定の部署や人（以下、活動管理者という）は、現在の産業衛生活動の実施状況を把握しやすく、グループに対する指導方針を少ない労力で決定できる。
【００１８】
＜システム構成例＞
産業衛生活動管理支援システム１００のシステム構成としては、大きくクライアントサーバ型とスタンドアロン型とが考えられる。
【００１９】
図２は、クライアントサーバ型の産業衛生活動管理支援システム１００のシステム構成図の一例を示す。クライアントサーバ型の産業衛生活動管理支援システム１００では、ユーザＰＣ１１、入力用ＰＣ１２、サーバ１３、及び、１つ以上の工場１４やオフィス１５がネットワークＮを介して通信可能に接続される。工場１４やオフィス１５は、従業員が作業する作業場であり、これらの他、研究所や工事現場などが挙げられる。工場１４やオフィス１５を区別しない場合は、単に「拠点」と称する。ユーザＰＣ１１はサーバ１３から取得した画面データを用いて図１のような産業衛生活動の実施状況を表示する。
【００２０】
サーバ１３は産業衛生活動の実施状況の表示をユーザ企業に提供するサービス提供者により運営されている。例えば、ユーザ企業はサービス提供者と契約し、従量制や年ごとの利用料金をサービス提供者に支払う。
【００２１】
図３は、スタンドアロン型の産業衛生活動管理支援システム１００のシステム構成図の一例を示す。スタンドアロン型の産業衛生活動管理支援システム１００では、ユーザＰＣ１１、入力用ＰＣ１２、及び、１つ以上の工場１４やオフィス１５がネットワークを介して通信可能に接続される。
【００２２】
スタンドアロン型のユーザＰＣ１１ではアプリケーションソフトウェアが動作している。サービス提供者がこのアプリケーションソフトを作成しており、アプリケーションソフトは図１のような産業衛生活動の実施状況を表示する。ユーザ企業はアプリケーションソフトを購入したり、サービス提供者とライセンス契約を結んだりすることでアプリケーションソフトを使用可能となる。
【００２３】
活動管理者が産業衛生活動の実施状況へ容易にアクセスするためには、図２のようなクライアントサーバ型の産業衛生活動管理支援システム１００が採用される。これに対し、サーバ１３に産業衛生活動の情報を記憶させておくことが例えばセキュリティ的に好ましくない場合は、図３のようなスタンドアロン型の産業衛生活動管理支援システム１００が採用される。本実施形態では、主に図２のクライアントサーバ型の産業衛生活動管理支援システム１００に基づいて説明する。
【００２４】
サーバ１３は、作業環境管理に関するデータ、作業管理に関するデータ、健康管理に関するデータ、教育管理に関するデータ、及び、総括管理に関するデータ（以下、これらをまとめて５項目のデータという）を記憶している。サーバ１３は５項目のデータを、ネットワークＮを介して各拠点から取得する。
【００２５】
例えば、工場１４やオフィス１５などの拠点には作業環境管理のデータを検出するためのセンサ１６が配置されており、センサ１６が検出した作業環境管理のデータはサーバ１３に送信される。なお、センサ１６については種々のものが挙げられるが、例えば温度センサ、湿度センサ、及び、ＣＯ２濃度センサなどである。作業管理に関するデータ、健康管理に関するデータ、教育管理に関するデータ、及び、総括管理に関するデータについても、センサ１６により取得可能なデータは収集されてよい。
【００２６】
また、入力者が入力用ＰＣ１２を操作して５項目のデータの一部又は全てをマニュアルで入力し、入力用ＰＣ１２がサーバ１３に送信してもよい。入力用ＰＣ１２は５項目のデータのうち、センサ１６などにより自動的な取得が困難なデータの入力を入力者の操作に応じて受け付ける。５項目のデータのうちどのデータに関し入力者の入力が必要かについては、各企業における産業衛生活動のデータの電子化の進捗に応じて異なる。
【００２７】
ユーザＰＣ１１は、サーバ１３と通信して産業衛生活動実施状況の一覧を表示する。ユーザＰＣ１１は、ＰＣの他、スマートフォン、ＰＤＡ（Personal Digital Assistant）、タブレット型端末、携帯電話又はウェアラブルＰＣなどでもよい。ユーザＰＣ１１は情報処理装置の一例である。なお、産業衛生活動実施状況の一覧が表示される表示装置としては、ユーザＰＣ１１のディスプレイだけでなく、ユーザＰＣ１１と接続されたプロジェクタが投影してもよいし、ユーザＰＣ１１と接続された電子ホワイトボードが表示してもよい。すなわち、表示手段は問われない。
【００２８】
また、ユーザＰＣ１１と入力用ＰＣ１２として同じ情報処理装置が兼用されてもよいが、本実施形態では説明の便宜上、ユーザＰＣ１１と入力用ＰＣ１２を分けて説明する。
【００２９】
<<ハードウェア構成>>
図４は、サーバ１３のハードウェア構成図の一例である。サーバ１３は、バス３１０に接続されたＣＰＵ３０１、ＲＯＭ３０２、ＲＡＭ３０３、ＨＤＤ(Hard Disk Drive)３０５、ディスプレイ３０８、ネットワークＩ／Ｆ３０９、キーボード３１１、マウス３１２、メディアドライブ３０７、及び、光学ドライブ３１４を有する。ＣＰＵ３０１は、ＨＤ３０４に記憶されているサーバ用プログラム３２０を実行して、サーバ１３全体の動作を制御する。ＲＯＭ３０２はＩＰＬ等のＣＰＵ３０１の駆動に用いられるプログラムを記憶している。ＲＡＭ３０３はＣＰＵ３０１のワークエリアとして使用される。ＨＤ３０４は不揮発性メモリを搭載した記憶装置であり、産業衛生活動の実施状況の一覧を作成するためのサーバ用プログラム３２０、ＯＳ等を記憶している。
【００３０】
ＨＤＤ３０５はＣＰＵ３０１の制御にしたがってＨＤ３０４に対する各種データの読み出し又は書き込みを制御する。ディスプレイ３０８はカーソル、メニュー、ウィンドウ、文字、又は画像などの各種情報を表示する。ネットワークＩ／Ｆ３０９はＬＡＮやインターネットなどのネットワークＮとのインタフェースであり、ユーザＰＣ１１等との通信を行う。キーボード３１１及びマウス３１２は入出力装置であり、キーボード３１１は文字、数値、各種指示などの入力のための複数のキーを備えこれらからの入力を受け付ける。マウス３１２はマウスポインターの移動及び各種指示の選択や実行、処理対象の選択などを受け付ける。
【００３１】
メディアドライブ３０７はフラッシュメモリ等のメディア３０６に対するデータの読み出し又は書き込み（記憶）を制御する。光学ドライブ３１４は着脱可能な記録媒体の一例としてのＣＤ−ＲＯＭ(Compact Disc Read Only Memory)３１３等に対する各種データの読み出し又は書き込みを制御する。
【００３２】
なお、上記サーバ用プログラム３２０は、インストール可能な形式又は実行可能な形式のファイルで、メディア３０６やＣＤ−ＲＯＭ３１３等のコンピュータで読み取り可能な記録媒体に記録して流通させるようにしてもよい。あるいは、サーバ用プログラム３２０は、任意のサーバ型の情報処理装置からダウンロードされる形態で配布されてもよい。
【００３３】
なお、サーバ１３は、クラウドコンピューティングにより構築されていてもよい。クラウドコンピューティングでは、サーバ１３の機能が搭載される情報処理装置が固定されていたり１つの筐体内に配置されている必要はなく、物理的な構造は変動しうる。したがって、図示するサーバ１３のハードウェア構成は、サーバ１３が備えていることが好ましいハード的な要素を示す。
【００３４】
<<ユーザＰＣ１１>>
図５は、ユーザＰＣ１１のハードウェア構成図の一例である。ユーザＰＣ１１は、バスライン２１５に接続された、ＣＰＵ２０１、入力装置２０２、表示装置２０３、外部Ｉ／Ｆ２０４、ＲＡＭ２０５、ＲＯＭ２０６、ネットワークＩ／Ｆ２０７、ＨＤ２２０及びＨＤＤ２０９を有する。ＣＰＵ２０１はユーザＰＣ１１全体の動作を制御する。入力装置２０２はユーザＰＣ１１に対する各種操作信号の入力を受け付ける。表示装置２０３はユーザＰＣ１１による処理結果を表示するためのディスプレイ等である。外部Ｉ／Ｆ２０４は、外部記録媒体（記録メディア）などの各種外部装置とのインタフェースである。ＲＡＭ２０５はＣＰＵ２０１のワークエリアとして使用される。ＲＯＭ２０６にはユーザＰＣ１１のＯＳの設定やネットワーク設定などのデータが格納されている。ネットワークＩ／Ｆ２０７は、ネットワークを利用してデータ伝送をするためのインタフェースである。ＨＤ２２０はユーザＰＣ用プログラム２２０等の各種データを記憶する。ＨＤＤ２０９はＣＰＵ２０１の制御にしたがってＨＤ２０８に対する各種データの読み出し又は書き込みを制御する。また、ユーザＰＣ１１は、上記各構成要素を図５に示されているように電気的に接続するためのアドレスバスやデータバス等のバスライン２１５を備えている。
【００３５】
なお、ＣＰＵ２０１の制御にしたがってデータの読み出し又は書き込みを行う不揮発性メモリであれば、ＨＤ２０８に限らず、フラッシュメモリ等を用いてもよい。
【００３６】
ユーザＰＣ用プログラム２２０は、インストール可能な形式又は実行可能な形式のファイルで、記録メディア等のコンピュータで読み取り可能な記録媒体に記録して流通させてもよい。あるいは、ユーザＰＣ用プログラム２２０は、任意のサーバ型の情報処理装置からダウンロードされる形態で配布されてもよい。
【００３７】
なお、入力用ＰＣ１２のハードウェア構成はユーザＰＣ１１と同様でよい。
【００３８】
＜産業衛生活動管理支援システム１００の機能について＞
続いて、図６を用いて産業衛生活動管理支援システム１００が有する各装置の機能について説明する。図６は産業衛生活動管理支援システム１００のユーザＰＣ１１及びサーバ１３の機能ブロック図の一例を示す。
【００３９】
<<サーバ１３の機能構成>>
サーバ１３は、通信部３１、データ解析部３２、画面作成部３３、データ管理部３４、及び、記憶・読出部３９を有している。これらは、図４に示されている各構成要素のいずれかが、ＨＤ３０４からＲＡＭ３０３上に展開されたサーバ用プログラム３２０に従ったＣＰＵ３０１からの命令によって動作することで実現される機能、又は機能される手段である。
【００４０】
また、サーバ１３は、図４に示されているＨＤ３０４によって構築される不揮発性記憶部１０００（記憶装置の一例）を有している。
【００４１】
【表１】
2016167141.tif 000003
不揮発性記憶部１０００の作業環境管理ＤＢ１００１には、表１に示されているような作業環境管理テーブルが記憶されている。作業環境管理テーブルには、拠点ごとに作業環境管理に関するデータが登録されている。表１には、Ａ事業所のある年（２０１４年）の１月〜１２月までの気温が登録されている。また、一月（ひとつき）ごとに各営業日（１日から３１日のうち例えば月曜から金曜の日）の気温が時系列（例えば１時間おき）に記録されている。
【００４２】
表１は気温データのみを示すが、湿度データやＣＯ２濃度データなどが作業環境管理ＤＢ１００１に記憶されている。
【００４３】
【表２】
2016167141.tif 000004
不揮発性記憶部１０００の作業管理ＤＢ１００２には、表２に示されているような作業管理テーブルが記憶されている。この作業管理テーブルでは従業員（従業員コード）ごとに出退勤データが登録されている（以下、作業管理テーブル（出退勤データ）という。）。表２には、各拠点ごとに各従業員の出退勤データが日付けと共に登録されている。すなわち、出勤時刻、退勤時刻、休憩時間及び残業時間が管理されている。
【００４４】
【表３】
2016167141.tif 000005
不揮発性記憶部１０００の作業管理ＤＢ１００２には、表３に示されているような作業管理テーブルが記憶されている。この作業管理テーブルには、年ごとに、各事業所の各従業員が休暇を取得した休暇取得日と有給残が記録されている（以下、作業管理テーブル（休暇データ）という。）。有給残は今年度において取得可能な有給休暇の残りの日数を示しており、昨年から繰り越しされた有給休暇の日数も含まれている。また、各従業員に一年ごとに付与される付与有給数（勤続年数などで異なる）が登録されている。
【００４５】
【表４】
2016167141.tif 000006
不揮発性記憶部１０００の健康管理ＤＢ１００３には、表４に示されているような健康管理テーブルが記憶されている。この健康管理テーブルには、各拠点ごとに各従業員の氏名、部署、年齢、性別、喫煙、身長、体重、胴囲、血液検査、血圧、休職中、及び、健診受診日等が記録されている。また、健診受診日のカラムには、毎回（多くの企業では年に１回）の健康診断の受診日時が過去の数年に渡って記録されている。
【００４６】
【表５】
2016167141.tif 000007
不揮発性記憶部１０００の教育管理ＤＢ１００４には、表５に示されているような教育管理テーブルが記憶されている。教育管理テーブルには、年ごとに、従業員コード、規定教育取得単位及び活動管理者（か否か）が記録されている。規定教育取得単位は、規定の教育を従業員が受けた場合に取得される単位数である。例えば、２時間の教育（講習）を受けることで、１単位が取得される。活動管理者のカラムには従業員が活動管理者の場合にその旨が登録される。
【００４７】
【表６】
2016167141.tif 000008
不揮発性記憶部１０００の総括管理ＤＢ１００５には、表６に示されているような総括管理テーブルが記憶されている。この総括管理テーブルには、年ごとに、計画策定の有無、及び、計画策定がある場合は管理項目が記録されている（以下、総括管理テーブル（計画策定データ）という。）。なお、管理項目は５項目（５管理）とする。
【００４８】
【表７】
2016167141.tif 000009
また、不揮発性記憶部１０００の総括管理ＤＢ１００５には、表７に示されているような総括管理テーブルが記憶されている。この総括管理テーブルには、年ごとに、目標設定の有無、目標が設定されている場合には、作業環境管理、作業管理、健康管理、教育管理及び、総括管理（表７では一人当たり活動費用を示す）ごとに目標が記録されている（以下、総括管理テーブル（目標設定データ）という。）。例えば、総括管理テーブル（目標設定データ）において気温の目標は２５℃〜２９℃の範囲であり、湿度の目標は５０％〜６０％の範囲であり、ＣＯ２濃度の目標は２００ppn〜３００ppmの範囲である。例えば気温の目標は２５℃は、現状値が下回るべきでない下限値であり、２９℃は現状値が上回るべきでない上限値である。
【００４９】
【表８】
2016167141.tif 000010
不揮発性記憶部１０００の総括管理ＤＢ１００５には、表８に示されているような総括管理テーブルが記憶されている。この総括管理テーブルには、年ごとに産業衛生活動に費やされた支出、その支出の備考、及び、金額が記録されている（以下、総括管理テーブル（改善活動費用データ）という。）。産業衛生活動に費やされた支出には種々のものがあり企業などによっても異なるが、例えば、ポスター、講習会、ｅ−ラーニング、及び、健康診断のオプションの補助などがある。
【００５０】
【表９】
2016167141.tif 000011
不揮発性記憶部１０００の比較データ管理ＤＢ１００６には、表９に示されているような比較データ管理テーブルが記憶されている。比較データ管理テーブルには、ある年（２０１４年）の、上記５項目のデータの全国平均が記録されている。例えば、作業管理では、休憩時間の全国平均は１０時間、残業時間の全国平均は２０時間、有給休暇取得率の全国平均は６０％である。
【００５１】
なお、全国平均だけでなく、業種別の平均も記憶されていることが好ましい。これらの比較データ管理テーブルに登録されるデータは内閣府や厚生労働省などから公表されるものを利用してもよいし、民間のデータ販売会社が提供するものを利用してもよい。
【００５２】
<サーバ１３の各機能>
次に、サーバ１３の各機能構成について詳細に説明する。
通信部３１は、ネットワークＮを介してセンサ１６が検出した５項目に関するデータ、入力用ＰＣ１２が送信する５項目に関するデータ、及び、ユーザＰＣ１１から送信される産業衛生活動の実施状況の閲覧要求などを受信する。また、通信部３１は、サーバ１３が作成した産業衛生活動の実施状況の画面データをユーザＰＣ１１に送信する。
【００５３】
データ管理部３４は、不揮発性記憶部１０００の作業環境管理ＤＢ１００１、作業管理ＤＢ１００２、健康管理ＤＢ１００３、教育管理ＤＢ１００４、総括管理ＤＢ１００５、及び、比較データ管理ＤＢ１００６に記憶されるデータを管理する。例えば、センサ１６が気温データをサーバ１３に送信した場合、データ管理部３４は送信されたデータに含まれる識別コード、拠点のＩＰアドレス、及び、タグ（ＸＭＬやＪＳＯＮなどでデータが送信される場合）などから気温データであると判断する。そして、気温データを月及び日付に対応付けて時系列に作業環境管理テーブルに記憶する。
【００５４】
また、データ管理部３４は、入力用ＰＣ１２から入力されたり、タイムレコード装置などから送信されたりした拠点名、従業員コード、出勤時刻及び退勤時刻を取得すると、当該日付の作業管理テーブル（出退勤データ）にこれらを記憶する。また、タイムレコード装置に休憩開始時刻及び休憩終了時刻が打刻される場合は、データ管理部３４は、休憩開始時刻及び休憩終了時刻から休憩時間を算出し作業管理テーブル（出退勤データ）に記録する。休憩開始時刻及び休憩終了時刻の申請に紙が使用されている場合、入力者が入力用ＰＣ１２に入力した休憩開始時刻及び休憩終了時刻をデータ管理部３４が取得して同様に処理する。
【００５５】
また、データ管理部３４は、定時に対する退勤時刻の超過分を残業時間として作業管理テーブル（出退勤データ）に記録する。なお、規定時間を超えた休憩時間が作業管理テーブル（出退勤データ）に記録されている場合は、その分を残業時間から差し引く。
【００５６】
また、従業員が休暇を取った場合、データ管理部３４は従業員コードや休暇取得日などを取得しこれらを作業管理テーブル（休暇データ）に記録する。すなわち、休暇取得日に日付けを登録すると共に、有給残を減らす。入力者が入力用ＰＣ１２を操作して従業員の有給の取得を通知した場合も同様である。
【００５７】
また、データ管理部３４は、各従業員の健康管理テーブルも管理している。健康管理テーブルは静的なデータが多いので、データ管理部３４は予め健康管理テーブルを保持しておく。健康管理テーブルに記録されるデータは例えば医療機関などから電子データとして取得可能である。一方、入力者が入力用ＰＣ１２から入力してもよい。また、電子データの場合も入力者が入力する場合も、従業員の許可した項目のみが健康管理テーブルに記録されることが好ましい。
【００５８】
入力者が入力用ＰＣ１２を操作して健康管理テーブルに関する従業員のデータの更新を要求した場合、データ管理部３４は、健康管理テーブルを更新する。例えば、喫煙していた従業者が禁煙した場合に喫煙のカラムが更新される。また、健診受診日のカラムでは、従業員が健康診断を受診したことと日時が入力用ＰＣ１２からサーバ１３に通知されると、データ管理部３４が該従業員の健診受診日のカラムを更新する。
【００５９】
また、データ管理部３４は、入力者が入力用ＰＣ１２を操作して従業員が規定の教育を受けたことを通知すると、教育管理テーブルに取得した単位数を記録する。このような教育がｅ-ラーニングにより提供される場合、ｅ-ラーニングシステムへ従業員がログインすることで従業員コードが判明するので、ｅ-ラーニングシステムは講義の終了に伴って規定の単位の取得をサーバ１３に通知できる。
【００６０】
また、データ管理部３４は、入力者が入力用ＰＣ１２を操作して総括管理テーブルの登録事項をサーバ１３に送信すると、総括管理テーブル（計画策定データ）及び総括管理テーブル（目標設定データ）に送信された内容を記憶する。
【００６１】
また、データ管理部３４は、入力者が入力用ＰＣ１２を操作して総括管理テーブル（改善活動費用データ）の登録事項をサーバ１３に送信すると、総括管理テーブル（改善活動費用データ）に送信された内容を記憶する。
【００６２】
また、データ管理部３４は、入力者が入力用ＰＣ１２を操作して比較データ管理テーブルの登録事項をサーバ１３に送信すると、比較データ管理テーブルに送信された内容を記憶する。
【００６３】
データ解析部３２は、ユーザＰＣ１１から送信された産業衛生活動の実施状況の閲覧要求に応じて、不揮発性記憶部１０００の作業環境管理ＤＢ１００１、作業管理ＤＢ１００２、健康管理ＤＢ１００３、教育管理ＤＢ１００４、及び、総括管理ＤＢ１００５に記憶されているデータを解析するなどのデータ処理を行う。具体的な解析内容は後述するが、上記の５項目のデータの統計処理などを行う。解析内容は５項目のデータのデータ種別に応じて予め定められているものとするが、活動管理者が指示してもよい。解析には必要に応じて、比較データ管理ＤＢ１００６に記憶されているデータが用いられる。また、統計処理の結果を総括管理テーブル（目標設定データ）と比較する等の解析を行ってもよい。
【００６４】
画面作成部３３は、データ解析部３２が行った解析の結果を表示するための画面データを作成する。画面データはユーザＰＣ１１に送信される。なお、画面データはＨＴＭＬ（ＪＳＰ、Ｊａｖａサーブレットを含んでもよい）とJavaScript(登録商標)により記述されていたり、Ｆｌａｓｈ（登録商標）とActionScriptにより記述されていたりするが、どのような言語で記述されていてもよいものである。
【００６５】
記憶・読出部３９は、不揮発性記憶部１０００に各種データを記憶したり、不揮発性記憶部１０００に記憶された各種データを読み出したりする処理を行う。記憶・読出部３９はデータ読み出し手段の一例である。
【００６６】
<ユーザＰＣ１１の各機能>
次に、ユーザＰＣ１１の各機能構成について詳細に説明する。ユーザＰＣ１１は、送受信部２１，操作入力受付部２２，及び、表示制御部２３を有している。これらは、図５に示されている各構成要素のいずれかが、ＨＤ２０８からＲＡＭ２０５上に展開されたユーザＰＣ用プログラム２２０に従ったＣＰＵ２０１からの命令によって動作することで実現される機能、又は機能される手段である。
【００６７】
送受信部２１は、ネットワークＮを介して、産業衛生活動の実施状況の閲覧要求などをサーバ１３に送信したり、サーバ１３が作成した産業衛生活動の実施状況の画面データを受信したりする。
【００６８】
操作入力受付部２２は、活動管理者によるユーザＰＣ１１に対する各種入力を受け付ける。操作入力受付部２２は例えばブラウザソフトウェアをＣＰＵ２０１が実行すること及び入力装置２０２により実現される。
【００６９】
表示制御部２３は、サーバ１３から受信した産業衛生活動の実施状況の画面データを解析して、表示装置２０３に産業衛生活動の実施状況の画面を表示する。表示制御部２３は例えばブラウザソフトウェアをＣＰＵ２０１が実行すること及び表示装置２０３により実現される。
【００７０】
＜処理の詳細＞
以下では、上述した構成を用いてユーザＰＣ１１、入力用ＰＣ１２、及び、サーバ１３が行う処理について説明する。
【００７１】
<<入力用ＰＣ１２による入力処理の一例>>
図７〜９を用いて、入力者が入力用ＰＣ１２を操作してデータを入力する際の処理の一例を説明する。図７は、入力者が入力用ＰＣ１２を操作して総括管理テーブル（計画策定データ）を入力する手順を示すシーケンス図の一例を示し、図８は入力用ＰＣ１２の表示装置２０３に表示されるデータ入力ための初期画面を、図９は総括管理データ入力画面をそれぞれ示す。
S1：入力者は入力用ＰＣ１２を操作して、例えばＨＴＴＰリクエストをサーバ１３に送信してデータ入力用のＵＲＬにアクセスする。これに対し、サーバ１３の画面作成部３３は初期画面の画面データを返す。これにより、入力用ＰＣ１２は図８の初期画面５０１を表示する。
S2：次に、入力者は初期画面５０１から入力するデータを選択する。ここでは総括管理に関するデータの入力が選択されたものとする。入力用ＰＣ１２は総括管理に関するデータを指定する旨をサーバ１３に送信する。これに対し、サーバ１３の画面作成部３３は総括管理データ入力画面の画面データを返す。これにより、入力用ＰＣ１２は図９の総括管理データ入力画面６０１を表示する。
S3：入力者は総括管理データ入力画面に対し所望のデータを入力する。
S4：入力者が送信ボタンを押下することで、入力者が入力した総括管理に関する入力データ（例えばＸＭＬやＪＳＯＮなどで記述されたデータ）がサーバ１３に送信される。
S5：画面作成部３３は総括管理に関する入力データをデータ管理部３４に送出する。
S6：データ管理部３４は総括管理に関する入力データのタグ名などから総括管理に関するデータであると判別する。
S7：データ管理部３４は総括管理に関するデータのタグ名などから総括管理ＤＢ１００５のうち登録すべきカラムを判断し、総括管理ＤＢ１００５に登録する。なお、ユーザＰＣ１１には登録完了を意味するＯＫが通知される。
【００７２】
図８に示すように、初期画面５０１にはメニュー５０２〜５０７が表示されている。これらは、作業環境管理に関するデータ、作業管理に関するデータ、健康管理に関するデータ、教育管理に関するデータ、総括管理に関するデータ及び比較データの入力を入力者が選択するためのメニューである。図８では入力者が総括管理に関するデータの入力を選択したため、メニュー５０６が反転表示されている。
【００７３】
入力者が送信ボタン５０８を押下すると、総括管理に関するデータを指定する旨がサーバ１３に送信される。
【００７４】
図９は総括管理データ入力画面の一例を示す図である。総括管理データ入力画面６０１では、総括管理（計画策定データ）、総括管理（目標設定データ）、及び、総括管理テーブル（活動費データ）を入力者が入力可能である。図９は、これらのうち総括管理（計画策定データ）を入力するための画面の一部を示す。
【００７５】
図９では、計画策定に２つのラジオボタン６０２，６０３が配置されており、管理項目に５つのチェックボックス６０４が配置されている。ユーザはラジオボタン６０２，６０３で計画策定の「あり」「なし」を選択でき、チェックボックス６０４で管理する項目を選択できる。
【００７６】
このようにして入力された総括管理に関するデータは、入力者が画面をスクロールさせて表示した送信ボタンを押下することなどによりサーバ１３に送信される。
【００７７】
<<活動管理者による閲覧操作に対する処理の一例>>
次に、図１０、図１１を用いて、活動管理者がユーザＰＣ１１を操作して産業衛生活動の実施状況を閲覧する際の処理について説明する。図１０は、活動管理者が産業衛生活動の実施状況を閲覧する手順を示すシーケンス図の一例である。図１１は、活動管理者が閲覧対象を指定するための閲覧対象指定画面７０１の一例を示す図である。
S1：活動管理者はユーザＰＣ１１を操作して、例えばＨＴＴＰリクエストをサーバ１３に送信することで実施状況閲覧のためのＵＲＬにアクセスする。これに対し、サーバ１３の画面作成部３３は閲覧対象指定画面の画面データを返す。これにより、ユーザＰＣ１１の表示制御部２３は図１１の閲覧対象指定画面７０１を表示する。図１１にて説明するが、活動管理者は年、月、事業所（拠点）、及び、職種の４つを指定できる。これらを「閲覧対象指定条件」と称する（閲覧対象指定条件は指定情報の一例である。）。
S2：次に、活動管理者は閲覧対象指定画面７０１から閲覧対象とする事業所などを選択又は入力する。ユーザＰＣ１１の送受信部２１は活動管理者が選択した閲覧対象指定条件をサーバ１３に送信する。
S3：サーバ１３の画面作成部３３は閲覧対象指定条件をデータ解析部３２に送出する。データ解析部３２は、産業衛生活動の実施状況を提供するため、以下のように５項目のデータを順番に読み出す。
S4：サーバ１３のデータ解析部３２は作業環境管理テーブルを作業環境管理ＤＢ１００１から読み出す。すなわち、データ解析部３２は閲覧対象指定条件の拠点のうち指定された年、かつ、指定された月の気温データ等を作業環境管理テーブルから読み出す。職種については指定がないものとして扱われるが、作業環境管理テーブルに職種別の気温データ等が登録されている場合、職種に対応した作業環境管理データが読み取られてもよい。
S5：次に、サーバ１３のデータ解析部３２は作業管理テーブルを作業管理ＤＢ１００２から読み出す。すなわち、データ解析部３２は閲覧対象指定条件の拠点のうち指定された年、かつ、指定された月の作業管理テーブルを特定し、指定された職種の従業員の作業環境管理テーブル（出退勤データ）と作業環境管理テーブル（休暇データ）を読み出す。
S6：次に、サーバ１３のデータ解析部３２は健康管理テーブルを健康管理ＤＢ１００３から読み出す。すなわち、データ解析部３２は閲覧対象指定条件の拠点の健康管理テーブルを特定し、指定された職種の健康管理テーブルを読み出す。健康管理テーブルは、年と月別には管理されていないので、指定された拠点における指定された職種の健康管理テーブルを読み出せばよい。
S7：次に、サーバ１３のデータ解析部３２は教育管理テーブルを教育管理ＤＢ１００４から読み出す。すなわち、データ解析部３２は閲覧対象とされた拠点の教育管理テーブルを特定し、指定された年の教育管理テーブルを読み出す。教育管理データは月別や職種別に管理されていないため、指定された拠点おける指定された年の教育管理テーブルを読み出せばよい。
S8：次に、サーバ１３のデータ解析部３２は総括管理テーブルを総括管理ＤＢ１００５から読み出す。すなわち、データ解析部３２は閲覧対象とされた拠点の総括管理テーブルから指定された年の総括管理テーブルを特定し、総括管理データ（計画策定データ）、総括管理データ（目標設定データ）及び総括管理データ（改善費用データ）を読み出す。総括管理データ（計画策定データ）、管理データ（目標設定データ）及び総括管理データ（改善費用データ）は、月別や職種別に管理されていないため、指定された拠点における指定された年の総括管理データを読み出す。
S9：次に、データ解析部３２は５項目のデータを解析して解析データを画面作成部３３に送出する。詳細は後述する。
S10：画面作成部３３は、閲覧画面データを作成する。必要であれば、作業環境管理ＤＢ１００１、作業管理ＤＢ１００２、健康管理ＤＢ１００３、教育管理ＤＢ１００４、総括管理ＤＢ１００５、及び、比較データ管理ＤＢ１００６からデータを読み出す。画面作成部３３は閲覧画面の画面データをユーザＰＣ１１に送信する。
【００７８】
図１１を用いて、閲覧対象指定画面７０１について説明する。閲覧対象指定画面７０１は、「産業衛生活動の実施状況の閲覧対象を指定してください」というメッセージ７１０、年指定欄７０２、月指定欄７０４、拠点指定欄７０５、職種指定欄７０６、団体名７０７、及び、送信ボタン７０８を有している。
【００７９】
団体名７０７は活動管理者が所属する企業名などである。活動管理者がサーバ１３にログインすることで、サーバ１３は活動管理者の団体名を特定できる。年指定欄７０２、月指定欄７０４、拠点指定欄７０５及び職種指定欄７０６は、選択可能な閲覧対象指定条件をリスト表示するようになっており、活動管理者は表示されたリストから所望の閲覧対象指定条件を選択する。活動管理者が任意の閲覧対象指定条件を入力してもよい。
【００８０】
なお、年指定欄７０２、月指定欄７０４、拠点指定欄７０５及び職種指定欄７０６に表示可能な閲覧対象指定条件は既知であるので、リスト表示される閲覧対象指定条件は予めサーバ１３の画面作成部３３が作成する画面データなどに記述されている。
【００８１】
活動管理者が閲覧対象指定条件を設定して送信ボタン７０８を押下すると、選択された閲覧対象指定条件がサーバ１３に送信される。
【００８２】
＜データ解析＞
次に、データ解析について説明する。
【００８３】
<<作業環境管理データ>>
作業環境管理データのデータ解析として、例えば気温の平均値が算出される場合を説明する。データ解析部３２は閲覧対象指定条件で指定された全ての気温を合計し、データ数で割ることで平均値を算出する。例えば、指定された月の営業日が２２日で、１日に２４個のデータが測定されている場合、２４×２２個の気温などのデータを合計し、２４×２２で割る。
【００８４】
なお、平均値の算出は一例に過ぎず、中央値、標準偏差、最頻度値などを算出してもよい。また、一日の温度変動幅の平均値等、外部との温度差の平均値等を算出してもよい。
【００８５】
<<作業管理データ>>
作業管理データのデータ解析として、例えば休憩時間の平均値が算出される場合を説明する。データ解析部３２は閲覧対象指定条件で指定された従業員の全ての休憩時間を合計し、データ数で割ることで平均値を算出する。例えば、指定された拠点において指定された職種に適合する従業員が１００人いる場合、１００人の休憩時間を合計し１００で割る。平均残業時間についても同様に算出できる。
【００８６】
なお、平均値の算出は一例に過ぎず、中央値、標準偏差、最頻度値などを算出してもよい。
【００８７】
また、作業管理データのデータ解析として、例えば有給休暇消化率が算出される場合を説明する。データ解析部３２は閲覧対象指定条件で指定された各従業員の休暇取得日に基づいて、各従業員が指定された年に休暇を取得した日数をカウントする。このカウント値を各従業員の付与有給数で割ることで、従業員の一人当たりの有給休暇取得率が算出される。一人当たりの有給休暇取得率の平均が、閲覧対象指定条件で指定された拠点における指定された年の有給休暇消化率である。
【００８８】
<<健康管理データ>>
健康管理データのデータ解析として、例えば健診受診率、喫煙率、メタボ（メタボリックシンドローム）率、及び、休職者率が算出される場合を説明する。
・健診受診率
データ解析部３２は閲覧対象指定条件で指定される各従業員の健診受診日を読み出す。健康受診日が、閲覧対象指定条件で指定された年に該当する従業員が、閲覧対象指定条件で指定される年に健康診断を受けた従業員である。この従業員の人数を、閲覧対象指定条件で指定される従業員の人数で割ることで、健診受診率を算出できる。
・喫煙率
データ解析部３２は閲覧対象指定条件で指定される各従業員の喫煙の「あり」「なし」を読み出す。そして、喫煙が「あり」と記述されている従業員の数をカウントする。この従業員の人数を、閲覧対象指定条件で指定される従業員の人数で割ることで、喫煙率を算出できる。
・メタボ率
メタボの基準は様々だが、本実施例では以下のように判断する。
【００８９】
(1）腹囲が男性で102cm以上、女性で88cm以上
(2）中性脂肪が150mg/dl以上
(3）HDLコレステロールが男性で40mg/dl未満、女性で50mg/dl未満
(4）血圧が最大血圧で130mmHg以上または最小血圧で85mmHg以上
(5）空腹時血糖値が110mg/dl以上
この５つのうち３つ以上を満たす者はメタボであると判断させる。
データ解析部３２は閲覧対象指定条件で指定される各従業員の性別、胴囲、血液検査及び血圧を読み出す。そして上記（１）〜（５）の基準と比較して、従業員一人一人がメタボであるか否かを判断する。メタボであると判断された人数を、閲覧対象指定条件で指定される従業員の人数で割ることで、メタボ率を算出できる。
・休職者率
データ解析部３２は閲覧対象指定条件で指定される各従業員の休職中の「Ｎ」「Ｙ」を読み出す。そして、休職中が「Ｙ」と記述されている従業員の数をカウントする。この従業員の人数を、閲覧対象指定条件で指定される従業員の人数で割ることで、休職者率を算出できる。
【００９０】
<<教育管理データ>>
教育管理データのデータ解析として、例えば管理者教育時間の平均と労働者教育時間の平均が算出される場合を説明する。
【００９１】
データ解析部３２は閲覧対象指定条件で指定される各従業員の規定教育取得単位を読み出す。この規定教育取得管理に決まった時間（一単位＝２時間なら２）を乗じることで、一人当たりの教育時間を算出する。閲覧対象指定条件で指定される各従業員の一人当たりの教育時間を合計し、閲覧対象指定条件で指定される各従業員の人数で割ることで、労働者教育時間を算出できる。
【００９２】
次に、データ解析部３２は、活動管理者だけの教育時間を合計し、活動管理者の人数で割ることで管理者教育時間を算出できる。
【００９３】
<<総括管理データ>>
総括管理データのデータ解析として、例えば従業員一人当たりの改善活動費用が算出される場合を説明する。
【００９４】
データ解析部３２は閲覧対象指定条件で指定される年の改善活動費用の金額を読み出す。そして、各金額を合計する。合計された金額を閲覧対象指定条件で指定される従業員の人数で割ることで、従業員一人当たりの改善活動費用を算出できる。なお、合計された金額をユーザ企業の全従業員数で割ってもよい。すなわち、改善活動費用の金額が記録されるグループ（事業所なのか全社なのか）に応じた人数で割ればよい。
【００９５】
従業員一人当たりの改善活動費用は、変動（増減）しうる金額だけから算出することも有効である。すなわち、毎年、固定費として計上される金額は、産業衛生活動の改善に役立っているかどうか評価が困難な場合がある。そこで、毎年、予算の都合などにより変動する金額のみをデータ解析部３２が総括管理テーブルから読み出せば、変動しうる金額だけから従業員一人当たりの改善活動費を算出できる。これにより、活動管理者は産業衛生活動の改善に有効な因子を特定しやすくすることができる。
【００９６】
＜閲覧画面＞
次に、図１２を用いて閲覧画面について説明する。図１２はユーザＰＣ１１の表示装置２０３に表示された閲覧画面の一例を示す図である。閲覧画面８０１は、閲覧対象指定条件欄５０、作業環境管理欄１、作業管理欄２、健康管理欄３、教育管理欄４、及び、総括管理欄５を有している。
【００９７】
このように、産業衛生活動全体の実施状況を一覧して表示できることが本実施形態の産業衛生活動管理支援システム１００の特徴の１つとなっている。活動管理者は、産業衛生活動全体の実施状況を一覧でき、どの管理項目については問題が無く、どの管理項目については問題があるのかが把握しやすくなる。
【００９８】
ここでいう一覧とは、５項目の全てが同時に一画面に表示されることを意味するのでなく、活動管理者が例えば閲覧画面を縦又は横にスクロールすることで５項目の全てが表示される場合を含む。あるいは、活動管理者が表示装置２０３に表示されるページを切り替える操作を行うことで、連続的に５項目の全てが表示される場合を含む。すなわち、一覧とは、活動管理者の思考判断を阻害しない範囲で５項目のデータが表示可能であることをいう。
【００９９】
また、５項目の全てが一覧可能でなくてもよく、少なくとも３項目の産業衛生活動の実施状況が一覧可能であればよい。この３項目は、重要とされる３管理であることが好ましい。
【０１００】
閲覧対象指定条件欄５０には、閲覧対象指定画面７０１で指定された閲覧対象指定条件（年５１ａ、団体名５１ｂ、職種５１ｃ、月５１ｄ、事業所５１ｅ、人数５１ｆ）が表示される。閲覧画面の閲覧対象指定条件欄５０においても、活動管理者が閲覧対象指定条件を指定可能であることが好ましい。これによって、活動管理者は閲覧対象指定画面７０１を再度表示させるなどの操作をすることなく、少ない操作で閲覧対象指定条件を変更できる。
【０１０１】
閲覧対象指定条件欄５０には人数５１ｆが表示される。人数５１ｆは、閲覧対象指定条件に適合する従業員の数である。この人数５１ｆは、上記のようにサーバ１３のデータ解析部３２がデータ解析する過程で抽出される。
【０１０２】
作業環境管理欄１には一例として平均温度１ａ、平均湿度１ｂ、及び、平均ＣＯ２濃度１ｃの各因子の現状値がバーメータ５１により表示されている。バーメータ５１には、上限値５５、下限値５４、針５３、及び、数値５２が表示される。上限値５５と下限値５４は、現状値が取り得る値が含まれるように予め決定されている。針５３は、データ解析部３２が算出した平均温度（これが現状値である）をこの針５３の位置により指し示す。すなわち、上限値５５又は下限値５４に対する針５３の位置により平均温度がどのくらいかを活動管理者が把握できるようになっている。
【０１０３】
画面作成部３３は、例えば以下のようにして針５３の位置を決定する。
Ａ＝上限値−下限値
Ｂ＝データ解析部３２が算出した平均温度（現状値）／Ａ
Ｃ＝Ｂ×バーメータの長さ
下限値５４の位置を基準にしてＣの長さが加えられた位置が針５３の位置である。平均湿度１ｂ、平均ＣＯ２濃度１ｃについても同様に針５３の位置を算出できる。
【０１０４】
また、作業管理欄２には平均休憩時間２ａ、平均残業時間２ｂ、及び、有給休暇消化率２ｃがバーメータ５１により表示されている。健康管理欄３には健診受診率３ａ、喫煙率３ｂ、メタボ率３ｃ、及び、休職者率３ｄがバーメータ５１により表示されている。教育管理欄４には管理者教育時間４ａ、及び、労働者教育時間４ｂがバーメータ５１により表示されている。総括管理欄５には、目標設定有無５ａと計画策定有無５ｂが表示され、従業員一人当たりの改善活動費用がバーメータ５１により表示されている。
【０１０５】
これらのバーメータ５１における針５３の位置も、同様に、上限値５５、下限値５４、及び、現状値があれば算出できる。
【０１０６】
なお、画面作成部３３は、総括管理テーブル（計画策定データ）から計画策定の「あり」「なし」を読み出し、総括管理テーブル（目標設定データ）から目標設定の「あり」「なし」を読み出す。そして、総括管理欄５の画面データ（総括管理欄５の目標設定有無及び計画策定有無）を作成する。
【０１０７】
また、針５３の色はバーメータ５１の色に対し、活動管理者が一目で針５３の位置を把握できるように設定されている。例えば、バーメータ５１の色が黄色であれば、針５３の色は赤色とする。また、所定の色空間において距離が最も大きくなるようにバーメータ５１の色と針５３の色を決定してもよい。なお、閲覧画面８０１は白黒で表示されてもよく、この場合、バーメータ５１の色が白であれば針５３の色は黒であり、バーメータ５１の色が黒であれば針５３の色は白である。
【０１０８】
<<各欄の表示の有無の切り替え>>
作業環境管理欄１、作業管理欄２、健康管理欄３、教育管理欄４、及び、総括管理欄５の右上コーナにはクローズボタン５６が配置されており、活動管理者は５つの欄のうち任意の欄の表示の有無を切り替えることができる。
【０１０９】
例えば、活動管理者が作業環境管理欄１のクローズボタン５６を押下すると、ユーザＰＣ１１の操作入力受付部２２はこの操作を受け付ける。そして、表示制御部２３は、作業環境管理欄１がない閲覧画面８０１を作成し表示装置２０３に表示する。
【０１１０】
図１３は作業環境管理欄１がない閲覧画面の一例を示す図である。図１３の閲覧画面では、閲覧対象指定条件欄５０と作業管理欄２の間に再表示ボタン５７が表示されている。活動管理者が再度、作業管理欄２を表示させたい場合はこの再表示ボタン５７を押下する。これにより図１２に示す閲覧画面８０１が表示される。
【０１１１】
各欄の表示の有無の切り替えは、サーバ１３から送信された閲覧画面８０１の画面データに含まれる例えばJavaScript（登録商標）により実現される。また、作業環境管理欄１が含まれない閲覧画面をユーザＰＣ１１がサーバ１３に要求し、サーバ１３から閲覧画面の画面データを新しく受信してもよい。
【０１１２】
<<上限値、下限値の変更>>
図１４に示すように、活動管理者は各バーメータ５１の上限値５５と下限値５４を変更できる。図１４は、作業管理欄２の平均温度の上限値５５と下限値５４の変更について説明する図の一例である。図１４（ａ）に示すように、活動管理者が例えばマウスポインター５８で上限値５５をクリックする。ユーザＰＣ１１の操作入力受付部２２がこの操作を受け付けて、ユーザＰＣ１１の表示制御部２３は上限値５５の入力欄５９を表示する。
【０１１３】
図１４（ｂ）に示すように、活動管理者は所望の上限値５５を入力する。ユーザＰＣ１１の操作入力受付部２２は新しい上限値５５の入力を受け付ける。そして、表示制御部２３は、元々の下限値５４、新しい上限値５５、及び、現状値に基づいてバーメータ５１における針５３の位置を算出し、針５３の位置を変更したバーメータ５１を表示する。これにより図１４（ｃ）に示すように、ユーザＰＣ１１は新しい上限値５５に対する現状値を針５３の位置で表示できる。
【０１１４】
なお、操作入力受付部２２と表示制御部２３のバーメータ５１の更新処理は、サーバ１３から送信された閲覧画面の画面データに含まれる例えばJavaScript（登録商標）により実現される。また、ユーザＰＣ１１が新しい上限値５５をサーバ１３に送信して、サーバ１３からバーメータ５１が更新された閲覧画面の画面データを受信してもよい。
【０１１５】
<<閲覧画面の別の例＞
図１５に示すように、閲覧画面８０１では現状値を数値５２のみで表示してもよい。図１５は閲覧画面の別の一例を示す図である。図１５では、作業環境管理欄１、作業管理欄２、健康管理欄３、教育管理欄４、及び、総括管理欄５において、バーメータ５１はなく数値５２のみで現状値が表示されている。このような表示はサーバ１３やユーザＰＣ１１の負荷を低減したり、閲覧画面８０１の画面データのデータ量を減らせるのでユーザＰＣ１１とサーバ１３との通信時間を短縮できるという効果がある。
【０１１６】
以上説明したように、本実施例の産業衛生活動管理支援システム１００は、団体（企業）ごと、事業所ごと、職種ごと、年月ごとなど様々なカテゴリでの産業衛生活動に関するデータを一覧で表示させる。活動管理者はこの一覧を俯瞰したり、５項目のデータを比較できるので、産業衛生活動管理支援システム１００を利用することで、産業衛生活動の目標設定・現状把握・施策の効果確認などを効率的に実施できる。
【０１１７】
＜本実施形態のその他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０１１８】
例えば、本実施例では作業環境管理に関するデータ、作業管理に関するデータ、健康管理に関するデータ、教育管理に関するデータ及び総括管理に関するデータを区別できるように記載しているが、区別の仕方は図１２等に示す通りでなくとも構わない。またさらに、これらは必ずしも区別できるように表示されている必要はない。これらを作成するための表１〜９に示したデータも一例に過ぎない。
【０１１９】
また、作業環境管理欄１、作業管理欄２、健康管理欄３、教育管理欄４及び総括管理欄５で表示されている個別の因子についても、活動管理者が任意に表示する・表示しないを選択できる。
【０１２０】
また、上記の作業環境管理欄１では、平均温度、平均湿度及び平均ＣＯ２濃度を表示しているが、その他にも、
・化学物質やその粉塵等の情報
・騒音や振動等の物理的因子
・酸素濃度
・換気、照明、風等因子
・各種のアレルゲン因子
など様々な因子を表示できる。
【０１２１】
また、レセプトデータを健康管理ＤＢ１００３に記憶しておき、健康管理欄３でレセプトデータから求められた値（例えば、従業員の医療費の平均）などを表示してもよい。
【０１２２】
その他、作業管理欄２、教育管理欄４及び総括管理欄５についても同様であり、各欄に表示されるデータは図示されたものに限られない。
【０１２３】
また、図１１の閲覧対象指定画面７０１で活動管理者は年、月、事業所（拠点）及び職種を選択可能であったが、年齢別、年齢層別、性別などを指定可能でもよい。
【０１２４】
また、本実施例では主にサーバクライアントタイプの産業衛生活動管理支援システム１００について説明した。スタンドアローンタイプの産業衛生活動管理支援システム１００では、ユーザＰＣ１１が操作入力受付部２２と表示制御部２３に加え、データ管理部３４，データ解析部３２及び画面作成部３３を有する。
【０１２５】
また、サーバ１３の機能が複数のサーバに分散して搭載されていてもよい。また、サーバ１３が複数あってもよい。また、サーバ１３の不揮発性記憶部１０００はサーバ１３が有するのでなくネットワークＮ上にあればよい。
【実施例２】
【０１２６】
本実施例では現状値を目標値と比較できるように閲覧画面を表示する産業衛生活動管理支援システム１００について説明する。
【０１２７】
＜閲覧画面＞
図１６はユーザＰＣ１１の表示装置２０３に表示された本実施例の閲覧画面の一例を示す図である。本実施例において、図１２において同一の符号を付した構成要素は同様の機能を果たすので、主に本実施例の主要な構成要素についてのみ説明する場合がある。
【０１２８】
図１６の閲覧画面８０１では、各バーメータ５１が目標範囲標示６０を有している。目標範囲標示６０は、各因子の現状値が取るべき値の範囲を示している。目標範囲標示６０の最大値を目標上限値と最小値を目標下限値と称する。目標上限値と目標下限値は総括管理テーブル（目標設定データ）に登録されている。
【０１２９】
閲覧画面８０１を表示する際、サーバ１３の画面作成部３３は例えばステップＳ１０において総括管理テーブル（目標設定データ）を読み出す。画面作成部３３は、バーメータ５１における針５３の位置を決定した場合と同様に、バーメータ５１の上限値５５と下限値５４、及び、総括管理テーブル（目標設定データ）の目標値の下限から、バーメータ５１における目標下限値の位置を決定する。また、バーメータ５１の上限値５５と下限値５４、及び、総括管理テーブル（目標設定データ）の目標値の上限から、バーメータ５１における目標上限値の位置を決定する。これらにより、目標範囲標示６０の目標下限値と目標上限値の位置を決定できるため、サーバ１３の画面作成部３３は、目標下限値から目標上限値の範囲をバーメータ５１及び針５３とは異なる色に設定する。
【０１３０】
目標範囲標示６０をこのように色で表すのでなく、斜線や網掛けで表してもよく、目標下限値と目標上限値の位置にそれぞれ縦線（実線や点線）を描画してもよい。
【０１３１】
このように、バーメータ５１に目標範囲標示６０が表示されることで、活動管理者は現状値を示す針５３が目標範囲標示６０の中か又は外かを一目で把握できるので、改善すべき管理項目及び因子を容易に特定できる。
【０１３２】
また、サーバ１３の画面作成部３３は、総括管理テーブル（目標設定データ）の目標値の上限と下限の間に入らない現状値がある場合、この因子の因子名を強調などして明示する画面データを作成する。図１６の例では、有給休暇消化率２ｃと従業員一人当たりの改善活動費用５ｃの現状値が目標値の上限と下限の間に入っていない。このため、サーバ１３の画面作成部３３は、有給休暇消化率２ｃと従業員一人当たりの改善活動費用５ｃの因子名を赤などの強調色や警告色に設定する。
【０１３３】
これにより、現状値を示す針５３と目標範囲標示６０を比較しなくても、活動管理者は改善すべき管理項目及び因子を容易に特定できる。
【０１３４】
なお、サーバ１３の画面作成部３３は、因子名を強調色や警告色に設定するのでなく、総括管理テーブル（目標設定データ）の目標値の上限と下限の間に入らない現状値の因子のバーメータ５１そのものを、強調色や警告色に設定してもよい。例えば、バーメータ５１の枠を強調色や警告色に設定したり、バーメータ５１を点滅させる。
【０１３５】
したがって、本実施例の産業衛生活動管理支援システム１００によれば、活動管理者が改善すべき管理項目及び因子を容易に特定できる。
【実施例３】
【０１３６】
本実施例では、複数の産業衛生活動実施状況を比較可能に閲覧可能な産業衛生活動管理支援システム１００について説明する。
【０１３７】
＜閲覧対象指定画面＞
図１７は、活動管理者が閲覧対象を指定するための閲覧対象指定画面７０１の一例を示す図である。本実施例では、図１１において同一の符号を付した構成要素は同様の機能を果たすので、主に本実施例の主要な構成要素についてのみ説明する場合がある。
【０１３８】
図１７の閲覧対象指定画面７０１では、年指定欄７０２、月指定欄７０４、拠点指定欄７０５、及び、職種指定欄７０６が、２つずつ表示されている。活動管理者は、活動管理者が着目している産業衛生活動実施状況の閲覧対象指定条件を一方の対象データ６１から指定し、着目している産業衛生活動実施状況と比較したい産業衛生活動実施状況の閲覧対象指定条件を他方の比較データ６２から指定する。これにより、活動管理者は対象データ６１と比較データ６２で指定される任意の産業衛生活動実施状況を比較できる。
【０１３９】
なお、閲覧対象指定画面７０１において２つ以上の比較データを指定可能でもよい。
【０１４０】
＜閲覧画面＞
図１８はユーザＰＣ１１の表示装置２０３に表示された本実施例の閲覧画面の一例を示す図である。図１８の閲覧画面では、２つの閲覧対象指定条件欄５０が表示されている。閲覧対象指定条件欄５０Ａには閲覧対象指定画面７０１の対象データ６１で指定された閲覧対象指定条件が表示され、閲覧対象指定条件欄５０Ｂには閲覧対象指定画面７０１の比較データ６２で指定された閲覧対象指定条件が表示される。これにより、活動管理者は、比較している２つの閲覧対象指定条件を把握できる。
【０１４１】
また、作業環境管理欄１、作業管理欄２、健康管理欄３、教育管理欄４及び総括管理欄５のバーメータ５１には、対象データの針５３ａと比較データの針５３ｂが表示されている。これにより、活動管理者は２つの産業衛生活動実施状況を一目で比較できる。
【０１４２】
対象データと比較データの２つの針５３ａ、５３ｂは異なる色で表示される。例えば、対象データの針５３ａが赤、比較データの針５３ｂの色が青とする。これらの色はバーメータ５１の色と目標範囲標示６０の色と異なっている。対象データの針５３と比較データの針５３をそれぞれ異なる固定色で表示してもよいし、活動管理者が選択可能でもよい。
【０１４３】
なお、本実施例でも、総括管理テーブル（目標設定データ）の目標値の上限と下限の間に入らない現状値の因子名は強調色や警告色で表示される。現状値が、総括管理テーブル（目標設定データ）の目標値の上限と下限の間に入るか否かの判断は、対象データの現状値に基づいて行われる。
【０１４４】
また、図１９に示すように、対象データの現状値が比較データの現状値よりも悪化した場合、サーバ１３の画面作成部３３は悪化した因子の因子名やバーメータ５１を強調してもよい。図１９は作業管理欄２の各因子の因子名とバーメータ５１を示す図の一例である。図１９では対象データの有給休暇消化率が、比較データの有給休暇消化率よりも悪化している。有給休暇消化率が悪化するとは、有給休暇消化率が小さくなることをいう。
【０１４５】
この場合、サーバ１３の画面作成部３３は悪化した因子の因子名を他の因子名より大きくしたり、バーメータ５１の針５３ａを長くしたりする。
【０１４６】
なお、さらに、現状値が総括管理テーブル（目標設定データ）の目標値の上限と下限の間に入らない場合、現状値の因子名は強調色や警告色で表示され、かつ、大きく表示される。また、因子名が点滅するように閲覧画面の画面データを作成したり、針５３ａを点滅させるなどしてもよい。これにより、活動管理者は対象データが悪化したことを把握しやすくなる。
【０１４７】
なお、図１７の閲覧対象指定画面７０１では団体名が固定されていたが、団体名を選択可能としてもよい。図２０は閲覧対象指定画面７０１の別の一例を示す。図２０では、対象データ６１と比較データ６２のそれぞれに団体名欄７０９が表示され、団体名の選択が可能になっている。このような閲覧対象指定画面７０１は、例えば、活動管理者が行政や市区町村の監督部署である場合に、各団体の産業衛生活動を比較できるため有効である。
【０１４８】
したがって、本実施例の産業衛生活動管理支援システム１００によれば、２つの産業衛生活動実施状況を活動管理者が容易に比較することを可能にできる。
【実施例４】
【０１４９】
本実施例では、比較データ管理テーブルの全国平均と活動管理者が管理する団体との比較を行うことができる産業衛生活動管理支援システム１００について説明する。
【０１５０】
＜閲覧対象指定画面＞
図２１は、ユーザＰＣの表示装置に表示された本実施例の閲覧画面の一例を示す図である。本実施例では、図１２において同一の符号を付した構成要素は同様の機能を果たすので、主に本実施例の主要な構成要素についてのみ説明する場合がある。
【０１５１】
図２１の閲覧画面では、現状値に加え全国平均値を示す針６３が各バーメータ５１に表示される。この閲覧画面を表示する際、サーバ１３の画面作成部３３は例えばステップＳ１０において比較データ管理テーブルを読み出す。画面作成部３３は、現状値の針５３の位置を決定した場合と同様に、全国平均値の針６３の位置を決定する。
【０１５２】
そして、画面作成部３３は、現状値と全国平均値との乖離量を算出する。
乖離量＝全国平均値−現状値
そして、乖離量の絶対値が因子ごとに定められた閾値よりも大きい因子の因子名やバーメータ５１の針５３を強調色や警告色に設定する。これにより、活動管理者は全国平均値に対し乖離量が大きい因子を容易に把握できる。
【０１５３】
なお、乖離量が正の場合には好ましいが負の場合には好ましくない因子、逆に、乖離量が負の場合には好ましいが正の場合には好ましくない因子がありうる。例えば、作業管理欄２の平均残業時間は、乖離量が正の場合は好ましく、負の場合は好ましくない。逆に、健康管理欄３の健診受診率は正の場合は好ましくなく、負の場合は好ましい。
【０１５４】
このため、サーバ１３の画面作成部３３は因子ごとに好ましい乖離の方向を定めておき、好ましくない方向に乖離しており、かつ、乖離量が閾値以上の場合に、因子名やバーメータ５１の針５３を強調色や警告色に設定する。
【０１５５】
例えば、図２１では、平均残業時間の現状値が全国平均よりも閾値以上に大きくなっているため（乖離量が負で閾値以上）、平均残業時間の因子名が強調色や警告色で表示されている。また、健診受診率が全国平均よりも閾値以上に小さいため（乖離量が正で閾値以上）、健診受診率の因子名が強調色や警告色で表示されている。
【０１５６】
これにより、活動管理者は、好ましくない乖離を示す因子を容易に特定することができる。
【０１５７】
なお、５項目の各因子の全てについて乖離量の絶対値が大きい場合に改善すべきであるとは限らない。例えば、特殊な環境（食品を扱う工場１４では温度が低く保たれ、温度などに対する耐性試験を行う工場１４では温度が高く又は低く保たれる場合など）で勤務する職種では全国平均との乖離が大きいことはやむを得ない。このような因子については、予めサーバ１３の画面作成部３３が因子名などにその旨（例えば、因子名に※マークを表示させたり、因子名を括弧で囲んだりする）を表示させる画面データを作成することも有効である。この場合、因子名は強調色や警告色で表示しても表示しなくてもよい。
【０１５８】
したがって、本実施例の産業衛生活動管理支援システム１００によれば、現状値と全国平均値とを適切に比較して改善すべき因子を活動管理者が容易に判断可能になる。
【実施例５】
【０１５９】
本実施例では、目標範囲標示６０をバーメータ５１の一定の位置に表示する産業衛生活動管理支援システム１００について説明する。
【０１６０】
＜閲覧対象指定画面＞
図２２は、ユーザＰＣの表示装置に表示された本実施例の閲覧画面の一例を示す図である。本実施例では、図１６において同一の符号を付した構成要素は同様の機能を果たすので、主に本実施例の主要な構成要素についてのみ説明する場合がある。
【０１６１】
図２２では、各因子の目標範囲標示６０がバーメータ５１の中央に配置されている。すなわち、目標範囲標示６０の中央値がバーメータ５１の中央になるように表示される。こうすることで、目標範囲標示６０が必ずバーメータ５１の決まった位置に表示されるので、活動管理者は各因子ごとに目標範囲標示６０と現状値を表す針５３を探す際の視線移動を少なくできる。
【０１６２】
この場合、バーメータ５１の上限値５５と下限値５４は総括管理テーブル（目標設定データ）の目標値の上限及び下限に応じて予め設定されている。このため、実施例２とはバーメータ５１の上限値５５と下限値５４が異なるだけで、サーバ１３の画面作成部３３は実施例２と同様に目標範囲標示６０の目標下限値、目標上限値、及び、針５３の位置を決定できる。
【０１６３】
なお、パーセント表示される因子では、現状値が０未満になること又は現状値が１００を超えることは生じない。しかし、図２２のように各因子の目標範囲標示６０がバーメータ５１の中央に表示される場合、バーメータ５１に現状値が取り得ない範囲が含まれてしまう。サーバ１３の画面作成部３３はこのような範囲を例えばグレーに設定するなどして、取り得ない範囲であることを示せばよい。図２２では現状値が取り得ない範囲が黒塗りで示されている。
【０１６４】
なお、さらに目標範囲標示６０の幅が各因子で同じになるように表示してもよい。また、各因子の目標範囲標示６０はバーメータ５１の中央に表示されていなくてもよく、各因子で左右方向の同じ位置に表示されればよい。
【０１６５】
したがって、本実施例の産業衛生活動管理支援システム１００によれば、目標範囲標示が一定の位置に表示されることで、活動管理者は目標範囲標示に対する各因子の現状値のずれを少ない視線移動で判断できる。
【符号の説明】
【０１６６】
１        作業環境管理欄
２        作業管理欄
３        健康管理欄
４        教育管理欄
５        総括管理欄
１１      ユーザＰＣ
１２      入力用ＰＣ
１３      サーバ
３１      通信部
３２      データ解析部
３３      画面作成部
３４      データ管理部
１００    産業衛生活動管理支援システム
【先行技術文献】
【特許文献】
【０１６７】
【特許文献１】特開2006-301893号公報
【図１】
2016167141.tif 000012
【図２】
2016167141.tif 000013
【図３】
2016167141.tif 000014
【図４】
2016167141.tif 000015
【図５】
2016167141.tif 000016
【図６】
2016167141.tif 000017
【図７】
2016167141.tif 000018
【図８】
2016167141.tif 000019
【図９】
2016167141.tif 000020
【図１０】
2016167141.tif 000021
【図１１】
2016167141.tif 000022
【図１２】
2016167141.tif 000023
【図１３】
2016167141.tif 000024
【図１４】
2016167141.tif 000025
【図１５】
2016167141.tif 000026
【図１７】
2016167141.tif 000027
【図２０】
2016167141.tif 000028
【図２１】
2016167141.tif 000029
【図１６】
2016167141.tif 000030
【図１８】
2016167141.tif 000031
【図１９】
2016167141.tif 000032
【図２２】
2016167141.tif 000033